(57)【要約】【課題】切削ブレードがブレードケースに収容して出荷される場合において、メーカー側、ユーザー側のいずれにおいても開閉に手間がかからないようにする。【解決手段】収容体２に切削ブレード６を収容し蓋体３によって開口部２０を閉塞する際に、ストッパ部５によって閉状態に固定されると共に爪部３２１が係止孔２３０に係合して収容体２と蓋体３とが封止され、封止を解除する際には、破断連結部３２０が破断して蓋体３と封止手段３２とが分離すると共にストッパ部５による閉状態の固定が開放されて開状態となり、切削ブレード６を取り出し可能とする。【選択図】図２
2008280073.tif 000002
【特許請求の範囲】
【請求項１】
中央部に回転軸挿入孔が形成された切削ブレードを収容するブレードケースであって、
切削ブレードを収容する開口部を有する収容体と、該開口部を閉塞及び開放する蓋体と、該収容体と該蓋体とを開閉自在に連結する連結部と、該開口部が閉塞された閉状態と該開口部が開放された開状態とを切り替えるためのストッパ部とを含み、
該収容体には該切削ブレードの回転軸挿入孔に遊嵌する凸部が形成され、該凸部の頂部には係止孔が形成され、
該蓋体には、該係止孔に係止される爪部と、該爪部を該蓋体から分離可能に連結する破断連結部とから構成される封止手段が形成されているブレードケース。
【請求項２】
前記封止手段には、前記破断連結部に破断力を伝達する押圧部が形成されている請求項１に記載のブレードケース。
【請求項３】
請求項１または２のいずれかに記載のブレードケースの使用方法であって、
前記収容体に切削ブレードを収容し前記蓋体によって前記開口部を閉塞する際に、前記ストッパ部によって前記閉状態に固定されると共に前記爪部が前記係止孔に係合して該収容体と該蓋体とが封止され、
該封止を解除する際に、前記破断連結部が破断して該蓋体と該封止手段とが分離すると共に該ストッパ部による閉状態の固定が開放されて開状態となり、該切削ブレードを取り出し可能とするブレードケースの使用方法。
【請求項４】
前記蓋体と前記封止手段とが分離した後に、前記ストッパ部によって前記閉状態または前記開状態のいずれかに維持される請求項３に記載のブレードケースの使用方法。
【発明の詳細な説明】
【技術分野】
【０００１】
本発明は、切削用のブレードが収納されるブレードケース及びその使用方法に関するものである。
【背景技術】
【０００２】
半導体ウェーハのダイシング等に用いられる切削ブレードには、円形基台の外周にリング状の切刃が電鋳によって形成されたハブブレードと称されるタイプのものと、フランジで挟持して使用されるリング状の切刃が電鋳のみによって形成されたワッシャーブレードと称されるタイプのものがある。
【０００３】
いずれの切削ブレードについても、切刃の厚さが２０μｍ〜１００μｍときわめて薄く、流通過程において損傷しやすいことから、これらの切削ブレードは、例えば特許文献１に記載されたブレードケースに収容される。このブレードケースは、収容部と蓋部とから構成される開閉式のケースである。
【０００４】
【特許文献１】特許第３７８３１６５号公報
【発明の開示】
【発明が解決しようとする課題】
【０００５】
しかし、上記ブレードケースに切削ブレードを収容部に収容して蓋体を閉めることにより閉状態としても、収容部と蓋部とが離れて開状態となり切削ブレードがブレードケースから飛び出すこともあることから、切削ブレードのメーカーでは、出荷しようとする新品の切削ブレードをブレードケースに収容した後、蓋体と収容体とに跨ってテープを貼着することにより、流通過程において切削ブレードがブレードケースから飛び出すのを防止している。
【０００６】
また、テープが貼着されていることを、新品の切削ブレードが収容されていることの証拠としている。したがって、メーカー側ではテープを貼り付ける作業に手間がかかり、ユーザー側ではテープを剥がす作業に手間がかかっている。
【０００７】
そこで、本発明が解決しようとする課題は、切削ブレードがブレードケースに収容して出荷される場合において、メーカー側、ユーザー側のいずれにおいても開閉に手間がかからないようにすることである。
【課題を解決するための手段】
【０００８】
第一の発明は、中央部に回転軸挿入孔が形成された切削ブレードを収容するブレードケースに関するもので、このブレードケースは、切削ブレードを収容する開口部を有する収容体と、開口部を閉塞及び開放する蓋体と、収容体と蓋体とを開閉自在に連結する連結部と、開口部が閉塞された閉状態と開口部が開放された開状態とを切り替えるためのストッパ部とを含み、収容体には切削ブレードの回転軸挿入孔に遊嵌する凸部が形成され、凸部の頂部には係止孔が形成され、蓋体には、係止孔に係止される爪部と爪部を蓋体から分離可能に連結する破断連結部とから構成される封止手段が形成されている。封止手段には、破断連結部に破断力を伝達する押圧部が形成されていることが望ましい。
【０００９】
第二の発明は、上記ブレードケースの使用方法に関するもので、収容体に切削ブレードを収容し蓋体によって開口部を閉塞する際に、ストッパ部によって閉状態に固定されると共に爪部が係止孔に係合して収容体と蓋体とが封止され、封止を解除する際に、破断連結部が破断して蓋体と封止手段とが分離すると共にストッパ部による閉状態の固定が開放されて開状態となり、切削ブレードを取り出し可能とする。蓋体と封止手段とが分離した後には、ストッパ部によって閉状態または開状態のいずれかに維持される。
【発明の効果】
【００１０】
本発明では、収容体中央部の凸部に係止孔を形成すると共に、その係止孔に係止される爪部と爪部を蓋体から分離可能に連結する破断連結部とを有する封止手段をブレードケースの蓋体に設けたため、収容体に切削ブレードを収容して蓋体によって蓋をして閉状態とすることにより、封止手段によって収容体と蓋体とが封止される。したがって、メーカー側においては収容体と蓋体とに跨ってテープを貼る必要がなくなる。
【００１１】
また、ユーザー側においては、封止手段の押圧部を指で押して破断連結部を破断させることにより封止を解除できるため、テープを剥がす手間がなくなる。
【００１２】
更に、破断連結部が破断していない状態ではブレードケースに新品の切削ブレードが収容されていることがわかり、破断連結部が破断していればブレードケースに収容されている切削ブレードが新品でないことがわかるというメリットもある。
【発明を実施するための最良の形態】
【００１３】
図１に示すブレードケース１は、切削ブレードを収容する収容体２を備えている。収容体２は、底面２０ａとその周縁部から起立した壁部２０ｂとによって囲まれ、切削ブレードを収容するために凹状に開口した開口部２０を有している。
【００１４】
ブレードケース１に収納されるブレードとしては、例えば図２に示すハブブレード６がある。このハブブレード６は、基台６０の周縁部から切削刃６１が外周側に突出して形成されており、基台６０の中央部には、切削装置の回転軸に挿入するための回転軸挿入孔６２が形成されている。開口部２０の底面２０ａには、図２に示すハブブレード６を構成する基台６０の底面を受け止めるリング状の受け止め凸部２２が突出して形成されている。
【００１５】
受け止め凸部２２の内側には、ハブブレード６に形成された回転軸挿入孔６２を遊嵌させる凸部２３が形成されている。この凸部２３の頂部には係止孔２３０が形成されている。係止孔２３０は、凸部２３と同心でかつ凸部２３の外径より小さい内径を有しており、図示の例では係止孔２３０の外周側にはリング状の薄板２３１が形成されている。また、薄板２３１には垂直方向に貫通するスリット２３２が形成されている。
【００１６】
ブレードケース１には、収容体２の開口部２０を閉塞及び開放する蓋体３を備えている。また、収容体２と蓋体３とは連結部４によって開閉自在に連結されており、収容体２及び蓋体３には、開口部２０が蓋体３によって閉塞された状態である閉状態と開放された状態である開状態とを切り替えるためのストッパ部５を備えている。
【００１７】
図３に示すように、蓋体３には、閉状態時に収容体２に対面しない側に向けて突出した凸部３０が形成されている。一方、収容体２の裏面２４には、ブレードケース１を複数積層させた際に下方のブレードケースの凸部３０と嵌合する凹部２５が形成されている。図１及び図２に示すように、凸部３０は、円弧部３０ａと直線部３０ｂとを有しており、凹部２５もこれに対応して円弧部２５ａと直線部２５ｂとを有している。ブレードケース１を積層した際には、凸部３０が凹部２５に係合すると共に、凸部３０を構成する直線部３０ｂと凹部２５を構成する直線部２５ｂとでブレードケース１の回転を防止する役割を果たす。
【００１８】
図１及び図２に示すように、凸部３０のほぼ中央部には蓋体３の表裏面を貫通する貫通孔３１が形成され、貫通孔３１の内部には封止手段３２が形成されている。封止手段３２は、貫通孔３１の内周面３１ａとの間で破断可能に複数箇所連結され蓋体３から分離可能な破断連結部３２０と、破断連結部３２０の内周側において収容体２の方向に向けて突出する爪部３２１と、破断連結部３２０及び爪部３２１と一体となり貫通孔３１の中心部を塞ぐように配設され破断連結部３２０に破断力を伝達する押圧部３２２を備えている。
【００１９】
図３の例では、押圧部３２２は板状に形成され、指で押すことができる程度の径を有している。一方、爪部３２１は、図示の例では一対に形成されており、それぞれの爪部３２１は、図３に示すように、押圧部３２２を基部として収容体２の方向に向けて起立する起立部３２１ａと、起立部３２１ａより拡幅して形成され蓋体３の天井面３ａの平面方向に突出する突出部３２１ｂと、突出部３２１ｂから収容体２に向けて縮幅する方向に傾斜する傾斜部３２１ｃとを備えている。突出部３２１ｂの幅は、収容体２に形成された係止孔２３０の内径より若干大きくなっており、起立部３２１ａの幅は、係止孔２３０の内径より小さくなっている。
【００２０】
蓋体３の一方の端部には、ストッパ部５を構成する係止片５０が形成されている。これに対応して、収容体２の一方の端部には、係止片５０が係止される被係止突起部５１が形成されている。ブレードケース１は、係止片５０に被係止突起部５１が係止された状態では閉状態となり、係止片５０に被係止突起部５１が係止されていない状態では開状態となる。
【００２１】
ブレードケース１にハブブレード６を収納するときは、図４に示すように、開口部２０からハブブレード６を収容体２に収容し、凸部２３に回転軸挿入孔６２を遊嵌させた状態で収容体２の受け止め凸部２２に基台６０を載置する。そして、連結部４を支点として蓋部３の端部を持ち上げ、ストッパ部５を構成する係止片５０を被係止突起５１に係止させることにより、図５に示すように蓋体３によって開口部２０を閉塞し、ブレードケース１を閉状態に固定する。このとき、封止手段３２を構成する破断連結部３２０は、図１及び図２に示した貫通孔３１の内周面３１ａと連結されたままの状態となっている。
【００２２】
このようにしてブレードケース１を閉状態とする際には、傾斜部３２１ｃにガイドされて爪部３２が係止孔２３０に挿入されていき、突出部３２１ｂが薄板２３１の下側に入り込む。そうすると、突出部３２１の幅が係止孔２３０の内径より大きいため、爪部３２１は係止孔２３０に係止される。すなわち、封止手段３２によって収容体２と蓋体３とが封止される。こうして収容体２と蓋体３とが封止手段３２によって封止されるため、メーカー側では、従来のように収容体２と蓋体３とに跨るようにテープを貼る必要がなくなる。また、薄板２３１にはスリット２３２が形成されているため、薄板２３１が撓みやすく、爪部３２を挿入しやすい。
【００２３】
一方、ハブブレード６を取り出す際には、収容体２の方に向けて下方に押圧部３２２を指で押しながら、係止片５０を押圧方向とは逆の方向に引っ張ることによりストッパ部５における閉状態の固定が開放されて開状態とする。そうすると、破断連結部３２０が貫通孔３１の内周面３１ａとの間で破断し、蓋体３と封止手段３２とが分離して封止状態が解除される。そして、封止手段３２は、図６に示すように、収容体２に残ったままとなる。このとき、押圧部３２２の外径は係止孔２３０の内径より大きく、起立部３２１ａの幅は係止孔２３０の内径より小さいため、爪部３２は係止孔２３０の下方に入り込み、押圧部３２２は凸部２３の上に載った状態となっている。
【００２４】
このように、ユーザー側では、押圧部３２２を押して破断連結部３２０を破断させることにより収容体２と蓋体３とが封止された状態を解除することができるため、従来のようにテープを剥がす手間はなくなる。
【００２５】
また、破断連結部３２０が破断していない状態では、封止状態が解除されたことがないことになるため、この場合は新品の切削ブレードが収容されていると判断することができる。一方、破断連結部３２０が破断している状態では、封止状態が解除されたことになるため、切削ブレードが新品でないと判断することができる。
【００２６】
封止手段３２が蓋体３から分離した後は、ストッパ部５の操作のみによってブレードケース１が開状態と閉状態のいずれかに選択的に維持される。
【００２７】
図７に示すように、閉状態のブレードケース１を複数積層させると、蓋体３に形成された凸部３０と収容体２に形成された凹部２５とが係合する。そして、図１及び図２に示した直線部３０ｂ、２５ｂによって回転が防止され、安定した状態となる。この場合、押圧部３２２の上面が凸部３０の上面より低い位置にある。なお、図７では破断連結部３２０が破断していない状態を示しているが、破断連結部３２０が破断した状態においても同様にブレードケース１を積層させることができる。
【図面の簡単な説明】
【００２８】
【図１】ブレードケースの一例を示す斜視図である。
【図２】ブレードケース及び切削ブレードの一例を示す斜視図である。
【図３】ブレードケースの中央縦断面図である。
【図４】収容部にハブブレードが収容されたブレードケースの中央縦断面図である。
【図５】ハブブレードが収容され閉状態となったブレードケースの中央縦断面図である。
【図６】収容部にハブブレードが収容され封止された後に蓋体を開けた状態としたブレードケースの中央縦断面図である。
【図７】ハブブレードが収容されたブレードケースを積層した状態を示す一部破断断面図である。
【符号の説明】
【００２９】
１：ブレードケース
２：収容体
２０：開口部  ２０ａ：底面  ２０ｂ：壁部
２２：受け止め凸部
２３：凸部  ２３０：係止孔  ２３１：薄板  ２３２：スリット
２４：裏面
２５：凹部  ２５ａ：円弧部  ２５ｂ：直線部
３：蓋体
３０：凸部  ３１：貫通孔  ３１ａ：内周面
３２：封止手段
３２０：破断連結部
３２１：爪部  ３２１ａ：起立部  ３２１ｂ：突出部  ３２１ｃ：傾斜部
３２２：押圧部
３０：凸部  ３０ａ：円弧部  ３０ｂ：直線部
４：連結部
５：ストッパ部
５０：係止片  ５１：被係止突起部
６：ハブブレード  ６０：基台  ６１：切削刃  ６２：回転軸挿入孔
【図１】
2008280073.tif 000003
【図２】
2008280073.tif 000004
【図３】
2008280073.tif 000005
【図４】
2008280073.tif 000006
【図５】
2008280073.tif 000007
【図６】
2008280073.tif 000008
【図７】
2008280073.tif 000009